(57)【要約】【課題】短時間で、殺菌あるいはウイルスを不活性化し、周囲の空気の浄化を確実におこなえる装置を提供する。【解決手段】毛細管現象により消毒液を吸い上げるロール状に巻設可能なフィルタ10と、消毒液が貯液されると共に巻設されたフィルタ10の一端縁側が浸漬される容器11と、フィルタ10を展開状態で空調機器Ｋに取着する取着手段12と、を備えている。【選択図】図１
2010167088.tif 000002
【特許請求の範囲】
【請求項１】
毛細管現象により消毒液を吸い上げるロール状に巻設可能なフィルタ（10）と、上記消毒液が貯液されると共に巻設された上記フィルタ（10）の一端縁側が浸漬される容器（11）と、上記フィルタ（10）を展開状態で空調機器（Ｋ）に取着する取着手段（12）と、を備えたことを特徴とする殺菌・ウイルス不活性装置。
【請求項２】
上記フィルタ（10）は、無機質繊維であって、繊維の太さを０. ０１〜０. ０５ｍｍに設定すると共に、上記フィルタ（10）の厚みを０. ３〜１. ５ｍｍに設定した請求項１記載の殺菌・ウイルス不活性装置。
【請求項３】
消毒液が貯液されるタンク（60）と、該タンク（60）からの上記消毒液を霧状にする超音波発生器（61）と、霧状の上記消毒液を吹き出す吐出口（62）と、を備えたことを特徴とする殺菌・ウイルス不活性装置。
【請求項４】
上記吐出口（62）から霧状の上記消毒液を吹き出させるエアーポンプ（63）と、上記吐出口（62）に連通して霧状の上記消毒液を空調機器（Ｋ）側へ誘導する可撓性の誘導管（64）と、を備えた請求項３記載の殺菌・ウイルス不活性装置。
【発明の詳細な説明】
【技術分野】
【０００１】
本発明は、殺菌・ウイルス不活性装置に関する。
【背景技術】
【０００２】
強毒型の鳥インフルエンザウイルス（Ｈ５Ｎ１型）の人から人への感染が現実問題になれば、瞬く間に世界中に拡大し（パンデミック）その死者は７０００万人とも１億人を下らないだろうと予測がなされている。これからも種の壁を乗り越え感染経路も原因究明も進まない感染症が次々とその姿を現すことは必至の情勢である。
現在世界を悩ませている新興感染症はウイルスが原因であることが多く例えば致死率の高いエボラ出血熱、ラッサ熱、ナイル熱、ニパウイルスなど枚挙に暇がない。さらには薬剤耐性結核菌など再興感染症も一大脅威となってきている。
これら感染症の予防や治療にワクチンや抗ウイルス薬などの対抗手段では万全ではなく肝要な事は感染しないこと、すなわち水際での感染防止に尽きる。そこで、目に見えないウイルスや細菌を撲滅する方法の一つとして殺菌消毒の徹底がある。
【０００３】
また、特許文献１記載のような機外の空気を吸い込み所定の処理を施して機外に放出することで室内の空気を洗浄する空気清浄機等の空調機器が知られている。
これらの空調機器は、粉塵やダニ、花粉等のアレルギー物質の除去は当然ながら脱臭機能、加除湿機能のあるもの、ホルムアルデヒドや排ガスの吸着、大風量や強い吸塵力をうたったものなど多機能を競っているが、各メーカーが特に重要視している機能は除菌である。例えば、抗菌剤を加工したフィルタからミクロの粒子を捉えるフィルタを備えたものや、除菌イオンと称したイオンや高速電子を放出するもの等様々のタイプがある。
【先行技術文献】
【特許文献】
【０００４】
【特許文献１】特開２００６−３５２０４号公報
【発明の概要】
【発明が解決しようとする課題】
【０００５】
しかし、殺菌消毒は、現実に感染が勃発してから行なわれ、その場しのぎの感は拭えず、感染勃発後では、その効果は限定かつ限局的である。
また、従来の空調機器は殺菌までに時間がかかると共に、殺菌・ウイルス不活性能力はもの足りないという問題があった（表３参照）。
【０００６】
そこで、本発明は、短時間で、殺菌あるいはウイルスを不活性化し、周囲の空気の浄化を確実におこなえる装置の提供を目的とする。
【課題を解決するための手段】
【０００７】
上記課題を解決するために、本発明の殺菌・ウイルス不活性装置は、毛細管現象により消毒液を吸い上げるロール状に巻設可能なフィルタと、上記消毒液が貯液されると共に巻設された上記フィルタの一端縁側が浸漬される容器と、上記フィルタを展開状態で空調機器に取着する取着手段と、を備えたものである。
【０００８】
また、上記フィルタは、無機質繊維であって、繊維の太さを０. ０１〜０. ０５ｍｍに設定すると共に、上記フィルタの厚みを０. ３〜１. ５ｍｍに設定したものである。
【０００９】
また、消毒液が貯液されるタンクと、該タンクからの上記消毒液を霧状にする超音波発生器と、霧状の上記消毒液を吹き出す吐出口と、を備えたものである。
【００１０】
また、上記吐出口から霧状の上記消毒液を吹き出させるエアーポンプと、上記吐出口に連通して霧状の上記消毒液を空調機器側へ誘導する可撓性の誘導管と、を備えたものである。
【発明の効果】
【００１１】
本発明の殺菌・ウイルス不活性装置によれば、短時間で殺菌でき、かつ、ウイルスを不活性化できる。感染が広まる前の予防として常時、周囲を浄化（消毒、殺菌、ウイルスの不活性化）できる。導入費用や維持費用を低減できる。生活スタイルや室内の広さ、出入りの多少等の使用環境に容易に対応し得る。
【図面の簡単な説明】
【００１２】
【図１】本発明の殺菌・ウイルス不活性装置の第１の実施の形態を示す全体斜視図である。
【図２】本発明の殺菌・ウイルス不活性装置の第２の実施の形態を示す全体斜視図である。
【発明を実施するための形態】
【００１３】
以下、本発明の実施の形態について、詳説する。
本発明の第１の実施の形態は、図１に示すように、空気清浄器や冷暖房用エアコンディショナ（エアコン）等の空調機器Ｋに取付けられ、消毒液が貯液された容器11を備えている。容器11は、透明又は半透明のプラスチック等で形成され、外部から消毒液の貯液量が視認可能である。内部に、ロール状に巻設されたフィルタ10を有している。また、磁石や吸盤部材等の取付手段によって、空調機器Ｋに着脱自在に取着されている。
【００１４】
フィルタ10は、一端縁（基端）側が常時、消毒液内に浸漬されている。また、他端縁（先端）側に、容器11からフィルタ10の他端縁側を所定の長さに引き出して展開状態で空調機器Ｋに取着するための吸盤部材や磁石等の取着手段12を備えている。フィルタ10は、ロール状に巻設可能である。
【００１５】
また、フィルタ10は、天然系の綿やセルロースに比べて所定の太さや長さ、形状、密度に容易に形成でき、かつ、劣化の少ない無機質繊維から成る。例えば、グラスウール、ロックウール、金属系ウール等である。繊維の太さは０. ０１〜０. ０５ｍｍ（１０〜５０μｍ）に設定している。フィルタ10の厚みを０. ３〜１. ５ｍｍに設定している。なお、フィルタ10が厚い場合、良好な通気性を確保するために、フィルタ10に直径５ｍｍ前後の穴を適当数穿っても、その捕集、吸着能力に目立った問題は発生しない。
グラスウールの場合は密度を２０〜３０ｇ／１０００ｃｍ3 、ロックウールの場合は密度を１５〜２０ｇ／１０００ｃｍ3 、金属系ウールの場合は密度を４０〜６０ｇ／１０００ｃｍ3 、に設定している。
【００１６】
上述した第１の実施の形態の使用方法（作用）について説明する。容器11は、空調機器Ｋの吸込口Ｋａ近傍に取付手段を介して取付けられる。巻設されたフィルタ10の他端縁（先端）側を引出して吸込口Ｋａを覆うように展開する（展開状態）。フィルタ10の他端縁側は取着手段12によって展開状態を保持するように空調機器Ｋに取着される。つまり、消毒液の染み込んだ湿潤状態のフィルタ10が展開状態で空調機器Ｋに取着される。
【００１７】
ここで、フィルタ10に染み込んだ消毒液が蒸発や空調機器Ｋの吹出風及び吸込風によって少なくなっても、毛細管現象により、フィルタ10は、一端縁側が容器11内の消毒液に常時浸漬しているので、消毒液を他端縁方向に吸い上げ（吸いよせ）消毒液が染み込んだ状態（湿潤状態）を維持する。容器11は外部から消毒液量が確認でき、使用者に消毒液の補充を促す。
【００１８】
空調機器Ｋの吸込風を利用し、フィルタ10は室内（周囲）の細菌、芽胞、真菌等の微生物やウイルスを吸着し、殺菌及びウイルスを不活性化する。
【００１９】
また、空調機器Ｋの吹出口Ｋｂ近傍に容器11を設け、フィルタ10を吹出口Ｋｂを覆うように展開すれば、吹出風に乗って、フィルタ10に染み渡った消毒液に吸着され周囲（室内）を浄化する。なお、本発明に於て、浄化するとは、微生物の殺菌すると共にウイルスを不活性化することである。
【００２０】
また、空調機器Ｋがエアコンの場合に、その天井側の上面に容器11を配設し、フィルタ10を上方から下方に垂れ幕状に展開させて吸込口Ｋａや吹出口Ｋｂを覆うように配設しても良い。
【００２１】
次に、本発明の第２の実施の形態は、図２に示すように、消毒液が貯液されたタンク60と、タンク60から供給される消毒液を霧状にする超音波発生器61と、超音波発生器61によって霧状となった消毒液を吹き出す吐出口62と、を備えている。タンク60は、超音波発生器61に連結する供給管65に着脱自在に設けられている。
【００２２】
また、吐出口62から吐出する霧状の消毒液（ミスト）を空調機器Ｋの吹出口Ｋｂ近傍に誘導する可撓性の誘導管64と、吐出口62近傍に配設され発生させた霧状の消毒液の吹き上がりを強める小型のエアーポンプ63と、を備えている。誘導管64は蛇腹状の管であって、伸縮して吐出口62からの高さを調節自在である。また、誘導管64の排出口64ａの向きを調整自在である。
【００２３】
また、霧状の消毒液の発生量（噴霧量）を調整する調整操作部66と、霧状の消毒液の発生及び停止を時間制御可能なタイマ操作部67と、を備えている。
【００２４】
上述した第２の実施の形態の使用方法（作用）について説明する。
タンク60内に消毒液を貯液すると、供給管65を介して消毒液が超音波発生器61に供給される。供給された消毒液は超音波発生器61によって、霧状となって吐出口62から吹き出される。この際、エアーポンプ63によって、吹き出す風力が強められ誘導管64内を通過する。発生した霧状の消毒液は、誘導管64によって空調機器Ｋの吹出口Ｋｂ近傍に排出される。空調機器Ｋの吹出風の気流に乗って効率良く部屋の隅々まで拡散される。室内を無菌レベルまで浄化する。また、タイマ操作部67が所定の操作をおこなわれることで、霧状の消毒液の発生及び停止が無人運転される。
【００２５】
ここで、上述した消毒液は、生命並びに生命活動の基本物質たるアミノ酸、ビタミン及びミネラルを主成分として安全性が極めて高く一般細菌、抗酸菌、芽胞、真菌はてはウイルスに至る迄広範囲の抗菌スペクトルを有し、手指、粘膜、傷口を始めとして器具、器材、排泄物、環境に、さらには、生鮮食材や農作物の消毒に多目的、多用途に使用可能なものである。
【００２６】
具体的には、抗菌作用を有する金属イオンの１種又は２種以上とＬ−システイン並びにＬ−アスコルビン酸を主成分として、この主成分に非イオン系を除く界面活性剤の１種又は２種以上を添加したものである。
【００２７】
また、抗菌作用を有する金属イオンが、III 価の鉄イオン（Ｆｅ3+）、II価の鉄イオン（Ｆｅ2+）、亜鉛イオン（Ｚｎ2+）、銅イオン（Ｃｕ2+）、コバルトイオン（Ｃｏ2+）、ニッケルイオン（Ｎｉ2+）又は、銀イオン（Ａｇ+ ）である。
また、抗菌作用を有する金属イオンの濃度が、III 価の鉄イオンでは５０〜２００ｐｐｍ、II価の鉄イオンでは１１０〜４００ｐｐｍ、亜鉛イオンでは７. ５〜１２５ｐｐｍ、銅イオンでは１５〜６０ｐｐｍ、コバルトイオンでは１８０〜３００ｐｐｍ、ニッケルイオンでは８５〜１７５ｐｐｍ及び銀イオンでは１〜３ｐｐｍである。
また、Ｌ−システインの濃度が１００ｐｐｍ〜１０００ｐｐｍ及びＬ−アスコルビン酸の濃度が１００ｐｐｍ〜５００ｐｐｍである。
【００２８】
また、非イオン系を除く界面活性剤が、アルキルベンゼンスルホン酸塩、直鎖アルキルベンゼンスルホン酸塩、ポリオキシエチレンアルキルエーテル硫酸塩、高級アルコール硫酸エステル塩、ラウリル硫酸ナトリウム、ラウロイルサルコシンナトリウム、塩化ステアリルジメチルベンゼンアンモニウム、塩化ベンザルコニウム、塩化ベンゼトニウム、塩酸アルキルジアミノエチルグリシン及び塩酸アルキルポリアミノエチルグリシンからなる群より選ばれる１種以上である。
また、非イオン系を除く界面活性剤の濃度が２０〜１００ｐｐｍである。
【００２９】
また、ソルビン酸、ソルビン酸塩、安息香酸、安息香酸塩並びにパラオキシ安息香酸エステルからなる群より選ばれる１種以上をさらに含有したものである。
【００３０】
なお、上述した消毒液にヒノキ、ミント等の各種の植物由来の精油や抗菌成分又は鉱物由来の抗菌成分を微量加えることによりその抗菌力をさらに高め、さらには、アロマテラピー効果を有するラベンダー、ジャスミン、カモミールなどの精油を加えるも望ましい。  
【００３１】
次に、上述の消毒液の製造例について記載する。
製造例１は、第１溶液として、塩化第二鉄・六水和物０. ９６ｇを精製水２００ｍｌに溶解する。第２溶液として、Ｌ−システイン１ｇ、Ｌ−アスコルビン酸０. １ｇ、ソルビン酸カリウム０. ０５ｇ、ラウリル硫酸ナトリウム０. １ｇを精製水８００ｍｌに溶解する。次に、第１溶液と第２溶液とを混和せしめ、１規定の塩酸１ｍｌを添加して、以下の構成成分から成る消毒液を製造した。
構成成分は、Ｆｅ3+イオン２００ｐｐｍ、Ｌ−システイン１０００ｐｐｍ、Ｌ−アスコルビン酸１００ｐｐｍ、ソルビン酸カリウム５０ｐｐｍ、ラウリル硫酸ナトリウム１００ｐｐｍ、である。また、ＰＨ３. ０である。
製造例２〜５を以下表１に示す。
【００３２】
【表１】
2010167088.tif 000003
【００３３】
次に、製造例４から成る消毒液に多種にわたる供試菌の懸濁液を調整した液（約１×１０9 ｃｅｌｌｓ／生食水）を２重量％滴下し経時的に一白菌耳を釣菌し、各増殖用培地に接種、最適環境下にて培養し菌の増殖の有無で殺菌効果を観察した。結果を下記表２に示す。
【００３４】
【表２】
2010167088.tif 000004
【００３５】
上記表２から明らかなように、本発明に用いる消毒液は一般細菌なら１０秒〜１５秒で、抗酸菌も１分以内に死滅した。また、真菌なら糸状型が１５秒前後で、酵母型は３０秒前後で、死滅した。芽胞はその形成段階により１分〜１２０分で崩壊（不活性化）せしめた。
ウイルスの場合、エンベローブを有する鳥インフルエンザＨ５Ｎ３型は５分の接触で１／１０万〜１／１００万に力価（活性力）を低下させた。エンベローブを持たないノロウイルスは、感染しているカキ並びに感染者の便を、その１０倍量の消毒液で浸漬させて検証したところ、３０分後に崩壊（不活性化）した。
【００３６】
次に、本発明の作用効果を検証するために、先ず、従来の空気清浄機の除菌・殺菌能力（効果）を検証した。
室内の広さが６畳（幅２７００ｍｍ、奥行３６００ｍｍ、高さ２４００ｍｍ、）の同じ造りの５室を密閉状態にし、比較例Ａ〜Ｅとして各メーカーの６〜10畳用の空気清浄機を、１台ずつ設置した。また、作動前に微生物（生菌）の数を測定し、次いで作動後の生菌数を経時的に測定した。
【００３７】
測定方法は空気浮遊菌サンプラー（ＭＢＳ−１０００、ＪＩＳ試験捕集効率99％以上）を用いた。このサンプラーは空中に浮遊している細菌数を吸入捕集し、それを高速で栄養寒天培地に吹き付け、培養する事により菌数を測定するもので広く一般に普及している。このサンプラーを各室内の中央を定点として30秒間作動し、50Ｌの空気を捕集した。結果を下記表３に示す。
【００３８】
【表３】
2010167088.tif 000005
【００３９】
上記表３から明らかなように、従来の空気清浄機だけでは、１時間作動で２５〜３０％が捕集除菌される程度で４時間で５０％程度、１２時間作動せしめてようやく１０〜２０％の菌数となった。殊に芽胞に対して効果は殆どなかった。すなわち、比較例Ａ〜Ｅは除菌作用が有効に機能しているとは言い難い結果となった。
【００４０】
次に、第一の実施の形態の装置を検証する前に予備試験をおこなった。浮遊する微生物が消毒液を染み込ませたフィルタ10にどの程度吸着され殺菌されるかを調べた。
加熱滅菌した１０００ｍｌのシリンジで吸入した５００ｍｌの空気中に含有する微生物を一般細菌、芽胞、真菌に分類し夫々の菌数を測定した。そして、再び加熱滅菌したシリンジの底部に消毒液を染み込ませたフィルタ10を装着し、吸入した５００ｍｌの空気中に含有する微生物を測定した。
【００４１】
その結果、一般細菌は７０％減少、芽胞は５０％減少、真菌は８０％減少と高率で殺菌処理されることが明らかとなった。即ち、理論上ではあるが、フィルタ10を空調機器Ｋの吸込口Ｋａに設けた場合に、一般細菌を例にとれば、室内の空気がフィルタ10を一巡（通過）する毎に70％ずつ殺菌されることを意味しており、生菌数は、一巡目30％、二巡目９％、三巡目２. ７％、四巡目０. ８％、五巡目０. ２４％と巡回する毎に限りなく０に近づくことになり、消毒液を染み込ませたフィルタ10が十分な効果を有することが実証された。
【００４２】
そして、空調機器Ｋを比較例Ａで用いた空気清浄機とし、第１の実施の形態の装置を付設した場合と、付設しなかった場合と、で比較検証をおこなった。
具体的には、図１に示すように容器11を空気清浄機Ｋの吸込口Ｋａ近傍に配設しフィルタ10で吸込口Ｋａを覆ったもの（吸込口装着）と、容器11を空気清浄機Ｋの吹出口Ｋｂ近傍に配設しフィルタ10で吹出口Ｋｂを覆ったもの（吹出口装着）と、空気清浄機Ｋに本装置を付設しなかったもの（フィルタなし）と、を比較例の検証で使用した室内と同じ大きさの室内にそれぞれ配置し、室内密閉状態で12時間作動させて検証した。測定方法は衝突法とシャーレの平板を30分間開放しての落下法とで計測した。結果を下記表４に示す。
【００４３】
【表４】
2010167088.tif 000006
【００４４】
上記表４から明らかなように、本装置を付設していない空気清浄機Ｋは上述の表３に示した成績と同様に効果は低い。これに対してフィルタ10を吸込口Ｋａに装着した場合は、２〜５時間後に一般細菌、芽胞、真菌は、殆ど死滅した。また、フィルタ10を吹出口Ｋｂに装着した場合は、３〜６時間後の作動で死滅した。吸込口装着と吹出口装着との差は、吸込風の気流が穏やかでフィルタ10に浮遊微生物が良く吸着されるためである。なお、表４には省略したが、吸込口Ｋａと吹出口Ｋｂの両方をフィルタ10で覆った場合は、約２時間の作動で全ての菌をほぼ完全に死滅した。感染し発病する時は菌量の多少よりも存在の有無に影響を受ける可能性が高いので、感染予防に非常に有効であることが確認できた。
【００４５】
さらに、空調機器Ｋがエアコンの場合について比較検証をおこなった。なお、菌数の測定方法は、衝突法と落下法との間には大きな差異がないことが判ったので衝突法のみでおこなった。結果を下記表５に示す。
【００４６】
【表５】
2010167088.tif 000007
【００４７】
上記表５から明らかなように、エアコンＫには浮遊微生物の殺菌及びろ過能力はほとんどない。それどころか、運転開始から２時間程は浮遊微生物が増加している。これは、エアコンＫの内部に微生物が付着し高密度で存在しているからである。
エアコンＫの吸込口Ｋａをフィルタ10で覆った（吸込口装着）場合は、一般細菌や真菌は１時間で約半減した。芽胞は２時間で半減した。６時間の連続運転（作動）での生菌数は一般細菌は２％、芽胞５％、真菌４％、に急激に減少し、１２時間運転で芽胞を除いてほぼ無菌状態となった。エアコンＫの吹出口Ｋｂをフィルタ10で覆った（吹出口装着）場合も、十分な殺菌作用が得られた。また、芽胞は死滅時間が短縮された。
【００４８】
また、公共の施設内の広い開放された室内（幅１００００ｍｍ、奥行１６５００ｍｍ、高さ２５００ｍｍ、１００畳、４１２ｍ3 ）で、空調機器Ｋを比較例Ｂで用いた空気清浄機４台を四隅に正面を対角線上に向けて配設して、第１の実施の形態の装置を付設し吸込口装着した場合と、付設しなかった場合と、で比較検証をおこなった。なお、室内への出入口は１箇所で幅１８００ｍｍの観音扉であり、人の出入りは制限しなかった。１日平均延べ７５人程度の出入りであった。結果を表６に示す。
【００４９】
【表６】
2010167088.tif 000008
【００５０】
上記表６から明らかなように、第１の実施の形態の装置を付設しなかった場合は、部屋の広さ、出入口の扉の開閉による外気流入、人や荷物に付着した微生物等の悪条件により、表３の結果よりも悪いものとなった。
しかし、吸込口装着の場合は、上記の悪条件でありながら、１２時間の作動で、一般細菌は５％未満、芽胞は１０％未満、真菌は５％未満に減少し、十分な殺菌作用が得られた。なお、表６には省略するが、人の出入を無くすと浮遊微生物は殆ど死滅し無菌状態となった。また、部屋の広さに適した大型の空気清浄機を用いれば、より迅速に殺菌作用が得られる。
【００５１】
また、上述の広い開放された室内で、空調機器Ｋを大型エアコン（水冷５馬力床面設置型）とした場合を検証した。上記表６の場合と同様に殺菌作用が得られた。結果を下記表７に示す。
【００５２】
【表７】
2010167088.tif 000009
【００５３】
次に、第２の実施の形態の装置について検証をおこなった。
一般家庭の室内（幅３６００ｍｍ、奥行５４００ｍｍ、高さ２４００ｍｍ、１２畳、約４７ｍ3 ）にて、第２の実施の形態の装置を１台設置し、霧状の消毒液を６０ｍｌ／時、発生させ、室内が密閉状態の場合と、ドアを１時間毎に２分間開放した場合と、の検証をおこなった。結果を以下表８に示す。
【００５４】
【表８】
2010167088.tif 000010
【００５５】
上記表８から明らかなように、室内密閉状態（閉）の場合は、一般細菌や真菌は時間の経過と共に徐々に減少していき４８時間作動で１０％前後迄減少した。芽胞は２０％迄減少した。また、ドアを１時間毎に２分間開放した（開）場合は、悪条件でありながら、４８時間作動で一般細菌を１４％迄減少させた。
【００５６】
次に、空調機器Ｋを比較例Ａで用いた空気清浄機とし、さらに、第２の実施の形態の装置を設置し、誘導管64をの排出口64ａを空気清浄機Ｋの吹出口Ｋｂ近傍に配設して、６０ｍｌ／時で発生させる霧状の消毒液を空気清浄機機Ｋの吹出風の気流に乗るようにした。そして、上記一般家庭の室内を密閉状態にした場合と、ドアを１時間毎に２分間開放した場合と、の検証をおこなった。結果を下記表９に示す。
【００５７】
【表９】
2010167088.tif 000011
【００５８】
上記表９に示したように、室内密閉状態（閉）の場合は、浮遊微生物の種類に関係なく５〜６時間の作動で１０％以下に減少し、２４時間後では菌は殆ど検出されなかった。また、ドアを２分間／時で開放した（開）場合は、１２時間の作動で、約１０％以下に減少し、２４時間後では生菌は殆ど検出されなかった。吹出風によって、部屋の隅々まで霧状の消毒液が飛散したためである。
【００５９】
また、空調機器Ｋをエアコンとし、図２に示すように誘導管64の排出口64ａをエアコンＫの吹出口Ｋｂ近傍に配設して、６０ｍｌ／時で発生させる霧状の消毒液をエアコンＫの吹出風の気流に乗るようにした。上記一般家庭の室内を密閉状態にした場合の結果を下記表10に示す。
【００６０】
【表１０】
2010167088.tif 000012
【００６１】
上記表10から明らかなように作動後の生菌数は徐々に減少しはじめ、一般細菌及び真菌は３時間後には約半数になった。芽胞は４〜５時間で約半数になった。２４時間後には一般細菌は５％未満に減少、芽胞は５％に減少、真菌は検出されなかった。
【００６２】
さらに、霧状の消毒液の発生量について検証した。
空調機器Ｋを比較例Ａで用いた空気清浄機とし、第２の実施の形態の装置から発生させる霧状の消毒液を空気清浄機Ｋの吹出風の気流に乗るようにした。そして、上記一般家庭の室内を密閉状態にして、発生量を変化させた種々の場合の一般細菌の生菌数を検証した。結果を下記表11に示す。
【００６３】
【表１１】
2010167088.tif 000013
【００６４】
発生量と生菌数の割合は、反比例の関係にあって、生菌数が５％未満になるには５０ｍｌ／時の場合は２４時間、１００ｍｌ／時の場合は１２時間、２００ｍｌ／時の場合は５時間、３００ｍｌ／時の場合は４時間、４００ｍｌ／時及び５００ｍｌ／時の場合は２時間、であった。霧状の消毒液が生菌数に影響をおよぼすことが明らかとなった。また、発生量に応じて、無菌に近い状態（生菌数が５％未満）となる時間が短縮されることがわかった。
なお、表11では省略したが、空調機器Ｋをエアコンとし、発生量を５００ｍｌ／時とした場合は、２〜３時間で室内は無菌に近い状態となった。
【００６５】
ここで、室内に浮遊存在するウイルスの減少程度を測定するのは困難であるが、室内の所定位置にて、１０００ｍｌのシリンジに捕集した空気に含有されるウイルス数を調査した。その結果、芽胞の減少割合によく似た結果となった。また、消毒液を微生物に対して有効に働かせていることから、ウイルスに対しても有効に働かせている（不活性化させている）ことは明らかである。
【００６６】
以上のように本発明は、毛細管現象により消毒液を吸い上げるロール状に巻設可能なフィルタ10と、消毒液が貯液されると共に巻設されたフィルタ10の一端縁側が浸漬される容器11と、フィルタ10を展開状態で空調機器Ｋに取着する取着手段12と、を備えたので、短時間で微生物を殺菌できると共に、ウイルスを不活性化できる。感染が広まる前の予防として常時、周囲を浄化（消毒、殺菌、ウイルスの不活性化）できる。導入費用や維持費用を低減できる。生活スタイルや室内の広さ、出入りの多少等の使用環境に容易に対応できる。既存の空気清浄機やエアコン等の空調機器Ｋに取付けて、安価かつ容易に殺菌・ウイルス不活性化空気洗浄機や、高性能殺菌（除棄）・ウイルス不活性化エアコンを得ることができる。毛細管現象を利用して、常時、フィルタ10に消毒液が染み込んだ状態（湿潤状態）にし、安定した殺菌作用及びウイルス不活性化作用を得ることができる。フィルタ10を容器１から順次引き出すことで、様々な大きさの空調機器Ｋに対応できる。空調機器Ｋの吸込力や吹出力を利用することで、大きな送風手段を設ける必要がなく、装置を小型かつ軽量なものとすることができる。
【００６７】
また、フィルタ10は、無機質繊維であって、繊維の太さを０. ０１〜０. ０５ｍｍに設定すると共に、フィルタ10の厚みを０. ３〜１. ５ｍｍに設定したので、フィルタ10を湿潤状態に確実に維持し、安定した殺菌作用及びウイルス不活性化作用を得ることができる。通気性を損なわず空調機器Ｋの能力を維持しながらも毛細管現象を得てフィルタ10の湿潤状態を保持できる。空調機器Ｋの吸込量や吹出量に影響を受けず毛細管現象を確実に得ることができる。
【００６８】
また、消毒液が貯液されるタンク60と、タンク60からの消毒液を霧状にする超音波発生器61と、霧状の消毒液を吹き出す吐出口62と、を備えたので、短時間で微生物を殺菌できると共に、ウイルスを不活性化できる。感染が広まる前の予防として常時、周囲を浄化（消毒、殺菌、ウイルスの不活性化）できる。導入費用や維持費用を低減できる。生活スタイルや室内の広さ、出入りの多少等の使用環境に容易に対応できる。消毒液を霧状として撒布して直接的に室内の空気を浄化できる。空気清浄機やエアコン等の内部の微生物やウイルスを浄化できる。
【００６９】
また、吐出口62から霧状の消毒液を吹き出させるエアーポンプ63と、吐出口62に連通して霧状の消毒液を空調機器Ｋ側へ誘導する可撓性の誘導管64と、を備えたので、既存の空気清浄機やエアコン等の空調機器Ｋに霧状の消毒液を誘導して、安価かつ容易に、殺菌・ウイルス不活性化空気洗浄機や、高性能な殺菌（除菌）・ウイルス不活性エアコンとすることができる。霧状の消毒液をより確実に空調機器Ｋ側へ誘導できる。また、空調機器Ｋの吸込力や吹出力を利用することで、大きな送風手段を設ける必要がなかく、装置を小型かつ軽量なものとすることができる。
【符号の説明】
【００７０】
10  フィルタ
11  容器
12  取着手段
60  タンク
61  超音波発生器
62  吐出口
63  エアーポンプ
64  誘導管
Ｋ  空調機器
【図１】
2010167088.tif 000014
【図２】
2010167088.tif 000015